【手続補正書】
【提出日】平成19年8月31日(2007.8.31)
【手続補正１】
【補正対象書類名】明細書
【補正対象項目名】特許請求の範囲
【補正方法】変更
【補正の内容】
【特許請求の範囲】
【請求項１】  フェルールボディーを含むフェルールであって、前記フェルールボディーが反対向きの前面と後面との間で長さ方向に延び、前記フェルールボディーが、前記前面及び後面間で長さ方向に延び光ファイバを受入れるように構成された少なくとも一つの光ファイバ孔を構成し、前記各光ファイバ孔は、前記フェルールボディーの前面の中央部を貫通して開口し、
各光ファイバ孔が開口する前記前面の中央部が、前記前面の周縁部分より外方に向って突出する平坦な面であり、前記前面の周縁部分が前記前面の中央部平面から後方に向ってテーパの付けられた湾曲面である、
ことを特徴とするフェルール。
【請求項２】  請求項１に記載のフェルールであって、前記フェルールボディーが、反対向きの第一及び第二小側面と、反対向きの第一及び第二大側面とを有し、前記前面の中央部から前記第一及び第二大側面まで延びる前記前面の周縁部分が、前記前面の中央部から前記第一及び第二小側面まで延びる前記周縁部分とは異なる曲率半径を有する、
ことを特徴とするフェルール。
【請求項３】  請求項２に記載のフェルールであって、前記前面の中央部から第一及び第二大側面まで延びる前面の周縁部分が、前面の中央部から第一及び第二小側面まで延びる前面の周縁部分より小さな曲率半径を有する、
ことを特徴とするフェルール。
【請求項４】  請求項３に記載のフェルールであって、前面の中央部から第一及び第二大側面まで延びる前面の周縁部分は曲率半径が５ｍｍであり、前面の中央部から第一及び第二小側面まで延びる前面の周縁部分は曲率半径が１５ｍｍである、
ことを特徴とするフェルール。
【請求項５】  請求項１に記載のフェルールであって、前記平坦な前面中央部が楕円形である、
ことを特徴とするフェルール。
【請求項６】  請求項５に記載のフェルールであって、前記楕円形の前面中央部が、各光ファイバ孔を通って延びる主軸を構成する、
ことを特徴とするフェルール。
【請求項７】  請求項１に記載のフェルールであって、前記中央部が、少なくとも前記前面の周縁部分のある部分に対して１ないし２ｍｍだけ外方に向って突出する、
ことを特徴とするフェルール。
【請求項８】  フェルールであって、反対向きの前面及び後面間で長さ方向に延びるとともに第一及び第二側面間で延びるフェルールボディーを含み、前記フェルールボディーが、同じく前記前面及び後面間で長さ方向に延びて光ファイバを受入れるようにされた少なくとも一つの光ファイバ孔を構成し、前記少なくとも一つの光ファイバ孔が前記フェルールボディーの前記前面の中央部を貫通して開口し、
前記前面が滑らかに湾曲した前面を構成し、前記前面の中央部が前記前面の周縁部分より外方に向って突出し、各光ファイバ孔が前記湾曲した前面の頂点を貫通して開口し、
前記第一及び第二側面に平行に配置された長さ方向に延びる断面においては、前記前面が前記第一及び第二側面間のすべての点で一様な大きさと形状とを有する、
ことを特徴とするフェルール。
【請求項９】  請求項８に記載のフェルールであって、中央部が、少なくとも前面のある周縁部分に対して５ｍｍだけ外方に向って突出する、
ことを特徴とするフェルール。
【請求項１０】  請求項８に記載のフェルールであって、滑らかに湾曲した前面が、円弧を構成する、
ことを特徴とするフェルール。
【請求項１１】  請求項１０に記載のフェルールであって、前記円形の前面が、１８０°未満の内角を構成する、
ことを特徴とするフェルール。
【請求項１２】  請求項１０に記載のフェルールであって、前記円形の前面の曲率半径が５ｍｍである、
ことを特徴とするフェルール。
【請求項１３】  マルチファイバフェルールであって、反対向きの前面及び後面を有するフェルールボディーを含み、前記フェルールボディーが、前面及び後面の間に延びて光ファイバを受入れるように構成された複数の光ファイバ孔を構成し、各光ファイバ孔が開口する前記フェルールボディーの前面部分が、それぞれの光ファイバ孔を囲むリングを構成し、各リングが、前記フェルールボディーの前面の他の部分よりも外方に向って突出する、
ことを特徴とするマルチファイバフェルール。
【請求項１４】  請求項１３に記載のマルチファイバフェルールであって、少なくともいくつかのリングが交差し、それによって前記フェルールボディーの前面の他の部分よりも外方に向って突出する、相互接続された一連のリングを形成する、
ことを特徴とするマルチファイバフェルール。
【請求項１５】  請求項１３に記載のマルチファイバフェルールであって、前記フェルールボディーが、最も外側の一対の光ファイバ孔及び少なくとも一つの内側の光ファイバ孔を含む、直線的に整列された複数の光ファイバ孔を構成し、最も外側の光ファイバ孔を囲むリングはそれぞれの内側の光ファイバ孔を囲むリングよりも大きい外径を有する、
ことを特徴とするマルチファイバフェルール。
【請求項１６】  請求項１３に記載のマルチファイバフェルールであって、各リングが、前記フェルールボディーの前面の他の部分に対して少なくとも１ｍｍだけ外方に向って突出している、
ことを特徴とするマルチファイバフェルール。
【請求項１７】  請求項１３に記載のマルチファイバフェルールであって、各リングは、内径が１２５ミクロン、外径が２５０ミクロンである、
ことを特徴とするマルチファイバフェルール。
【請求項１８】  マルチファイバフェルールを製作する方法であって、前記方法がフェルールボディーを形成するステップを含み、前記フェルールボディーが、反対向きの前面及び後面を有し、前記前面及び後面間に延びて前面の中央部で開口する複数の光ファイバ孔を構成し、反対向きの第一及び第二小側面と、反対向きの第一及び第二大側面と、を有するフェルールボディーであり、前記方法が、前記フェルールボディーの前面を研磨して湾曲面を形成する研磨ステップを含み、前記研磨ステップが、前記第一及び第二大側面に近い前面の周縁部分が前記第一及び第二小側面に近い前面の周縁部分と異なる曲率半径をもつように研磨するステップと、その研磨後に前記フェルールボディーの前記前面中央部を研磨して複数の光ファイバ孔が開口する平面領域を形成するステップとを含む、研磨ステップである、
ことを特徴とする方法。
【請求項１９】  請求項１８に記載の方法であって、前記フェルールボディーの前面を研磨して湾曲面を形成する研磨ステップが、前記第一及び第二大側面に近い前面の周縁部分を研磨してこの前面の周縁部分が前記第一及び第二小側面に近い前面の周縁部分より小さな曲率半径を構成するようにする、
ことを特徴とする方法。
【請求項２０】  請求項１９に記載の方法であって、前記第一及び第二大側面に近い前面周縁部分を研磨するステップが前記第一及び第二大側面付近に延びる前面の周縁部分を５ｍｍの曲率半径を構成するように研磨することを含み、前記第一及び第二小側面に近い前面の周縁部分を研磨するステップが前面の周縁部分を１５ｍｍの曲率半径を構成するように研磨することを含む、
ことを特徴とする方法。
【請求項２１】  請求項１８に記載の方法であって、前記フェルールボディー前面の中央部を研磨するステップが楕円形に形成された平坦な中央部を形成することを含む、
ことを特徴とする方法。